(57)【要約】      （修正有）【課題】記録用紙が長期にわたりトレイに格納されたままになるおそれをなくした画像形成装置を提供する。【解決手段】記録用紙を格納する給紙部１４と、給紙部１４に対し記録用紙が補充されたことを検知する給紙センサ１２と、給紙部１４に前記記録用紙を格納したまま所定の期間を過ぎると劣化のおそれのある格納限界期間と、給紙部１４に対する記録用紙の補充の時から起算して現在までの期間である格納期間とを記憶する媒体情報記憶部１３２と、媒体情報記憶部１３２に記憶した格納期間と格納限界期間とに基づいて、ワーニング表示を報知する格納期間監視部１７２を有する。【選択図】図１
2014069362.tif 000002
【特許請求の範囲】
【請求項１】
画像データからの画像を記録用紙に形成する画像形成装置において、
前記記録用紙を格納する給紙部と、
前記給紙部に対し前記記録用紙が補充されたことを検知する検知部と、
前記給紙部に前記記録用紙を格納したまま所定の期間を過ぎると劣化のおそれのある格納限界期間と、前記給紙部に対する前記記録用紙の補充の時から起算して現在までの期間である格納期間とを記憶する媒体情報記憶部と、
前記媒体情報記憶部に記憶した前記格納期間と前記格納限界期間とに基づいて、ワーニング表示を報知する格納期間監視部を有することを特徴とする画像形成装置。
【請求項２】
画像データからの画像を記録用紙に形成する画像形成装置において、
前記記録用紙を格納する複数の給紙部と、
前記給紙部に対し前記記録用紙が補充されたことを検知する検知部と、
前記給紙部に前記記録用紙を格納したまま所定の期間を過ぎると劣化のおそれのある格納限界期間と、前記給紙部に対する前記記録用紙の補充の時から起算して現在までの期間である格納期間と、同じ条件の前記記録用紙を格納する前記複数の給紙部に対して、どの前記給紙部を先に選択するかを定めた印刷優先度とを記憶する媒体情報記憶部と、
前記媒体情報記憶部に記憶した前記格納期間と前記格納限界期間とに基づいて、ワーニング表示を報知する格納期間監視部と、
前記媒体情報記憶部に記憶した前記格納期間の長さに応じて、前記印刷優先度を設定する給紙トレイ判断部とを有し、
前記印刷優先度に基づいて前記給紙部を選択することを特徴とする画像形成装置。
【請求項３】
前記格納期間監視部は、前記格納期間が前記格納限界期間を超えたときに、又は前記格納期間が前記格納限界期間に近づいたときに、前記ワーニング表示を報知することを特徴とする請求項１又は２記載の画像形成装置。
【請求項４】
前記ワーニング表示は、使用者が前記給紙部に格納された前記記録用紙を確認するよう促すことを含むことを特徴とする請求項１又は２記載の画像形成装置。
【請求項５】
前記給紙トレイ判断部は、前記記録用紙が同じサイズ及び媒体種別のとき、前記格納期間の最も長い前記給紙部の前記印刷優先度を高く設定することを特徴とする請求項２記載の画像形成装置。
【請求項６】
前記格納限界期間は、前記記録用紙の媒体種別に応じて予め決められることを特徴とする請求項１又は２記載の画像形成装置。
【請求項７】
前記格納期間は、現在年月日の更新の都度、更新されることを特徴とする請求項１又は２記載の画像形成装置。
【請求項８】
前記格納期間は、前記給紙部に対する前記記録用紙の補充の都度、リセットされることを特徴とする請求項１又は２記載の画像形成装置。
【請求項９】
前記格納期間は、日数又は時間で表現される期間であることを特徴とする請求項１又は２記載の画像形成装置。
【請求項１０】
画像データからの画像を記録用紙に形成する画像形成装置にワーニング表示をするためのプログラムにおいて、
前記記録用紙を格納する給紙部に対し、検知部により前記記録用紙が補充されたことを検知する用紙補充検知手順と、
前記給紙部に前記記録用紙を格納したまま所定の期間を過ぎると劣化のおそれのある格納限界期間を前記記録用紙の種別ごとに記憶部に記憶する格納限界期間記憶手順と、
前記給紙部に対する前記記録用紙の補充の時から起算して現在までの期間である格納期間を前記記憶部に記憶する格納期間記憶手順と、
前記記憶部に記憶した前記格納期間と前記格納限界期間とに基づいて、ワーニング表示を表示部へ表示するワーニング表示手順とをコンピュータに実施させるためのプログラム。
【請求項１１】
画像データからの画像を記録用紙に形成する画像形成装置にワーニング表示をするためのプログラムにおいて、
前記記録用紙を格納する複数の給紙部のうち一の前記給紙部に対し、検知部により前記記録用紙が補充されたことを検知する用紙補充検知手順と、
前記給紙部に前記記録用紙を格納したまま所定の期間を過ぎると劣化のおそれのある格納限界期間を記憶部に記憶する格納限界期間記憶手順と、
前記給紙部に対する前記記録用紙の補充の時から起算して現在までの期間である格納期間を前記記憶部に記憶する格納期間記憶手順と、
同じ条件の前記記録用紙を格納する前記複数の給紙部に対して、どの前記給紙部を先に選択するかを定めた印刷優先度を、前記記憶部に記憶した前記格納期間の長さに応じて設定する印刷優先度設定手順と、
前記記憶部に記憶した前記格納期間と前記格納限界期間とに基づいて、ワーニング表示を表示部へ表示するワーニング表示手順とをコンピュータに実施させるためのプログラム。
【請求項１２】
前記格納期間監視部は、前記格納期間が前記格納限界期間を超えたときに、又は前記格納期間が前記格納限界期間に近づいたときに、前記ワーニング表示を報知することを特徴とする請求項１０又は１１記載のプログラム。
【請求項１３】
前記給紙トレイ判断部は、前記記録用紙が同じサイズ及び媒体種別のとき、前記格納期間の最も長い前記給紙部の前記印刷優先度を高く設定することを特徴とする請求項１１記載のプログラム。
【請求項１４】
画像データからの画像を記録用紙に形成する画像形成装置に接続された外部装置において、
前記記録用紙を格納する前記画像形成装置の給紙部に対し前記記録用紙が補充されたことを検知する前記画像形成装置の検知部からの信号を受信する受信部と、
前記画像形成装置の前記給紙部に前記記録用紙を格納したまま所定の期間を過ぎると劣化のおそれのある格納限界期間と、前記画像形成装置の前記給紙部に対する前記記録用紙の補充の時から起算して現在までの期間である格納期間とを記憶する記憶部と、
前記記憶部に記憶した前記格納期間と前記格納限界期間とに基づいて、前記画像形成装置に対してワーニング表示をするよう指示する格納期間監視部を有することを特徴とする外部装置。
【請求項１５】
画像データからの画像を記録用紙に形成する画像形成装置に接続された外部装置において、
前記記録用紙を格納する前記画像形成装置の複数の給紙部に対し前記記録用紙が補充されたことを検知する前記画像形成装置の検知部からの信号を受信する受信部と、
前記画像形成装置の前記給紙部に前記記録用紙を格納したまま所定の期間を過ぎると劣化のおそれのある格納限界期間と、前記画像形成装置の前記給紙部に対する前記記録用紙の補充の時から起算して現在までの期間である格納期間と、同じ条件の前記記録用紙を格納する前記複数の給紙部に対して、どの前記給紙部を先に選択するかを定めた印刷優先度とを記憶する記憶部と、
前記記憶部に記憶した前記格納期間と前記格納限界期間とに基づいて、前記画像形成装置に対してワーニング表示をするよう指示する格納期間監視部と、
前記媒体情報記憶部に記憶した前記格納期間の長さに応じて、前記印刷優先度を設定する給紙トレイ判断部を有し、
前記印刷優先度に基づいて前記画像形成装置の前記給紙部を選択することを特徴とする外部装置。
【請求項１６】
前記格納期間監視部は、前記格納期間が前記格納限界期間を超えたときに、又は前記格納期間が前記格納限界期間に近づいたときに、前記ワーニング表示の報知を指示すること特徴とする請求項１４又は１５記載の外部装置。
【請求項１７】
画像データからの画像を記録用紙に形成する画像形成装置にワーニング表示をさせるための画像形成装置に接続された外部装置のプログラムにおいて、
前記記録用紙を格納する給紙部に対し、前記画像形成装置の検知部により前記記録用紙が補充されたことを検知する検知信号を受信する用紙補充信号受信手順と、
前記給紙部に前記記録用紙を格納したまま所定の期間を過ぎると劣化のおそれのある格納限界期間を前記外部装置の記憶部に記憶する格納限界期間記憶手順と、
前記給紙部に対する前記記録用紙の補充の時から起算して現在までの期間である格納期間を前記記憶部に記憶する格納期間記憶手順と、
前記記憶部に記憶した前記格納期間と前記格納限界期間とに基づいて、ワーニング表示を前記画像形成装置の表示部へ表示させるワーニング表示手順とをコンピュータに実施させるためのプログラム。
【請求項１８】
画像データからの画像を記録用紙に形成する画像形成装置にワーニング表示をさせるための画像形成装置に接続された外部装置のプログラムにおいて、
前記記録用紙を格納する複数の給紙部に対し、前記画像形成装置の検知部により前記記録用紙が補充されたことを検知する検知信号を受信する用紙補充信号受信手順と、
前記給紙部に前記記録用紙を格納したまま所定の期間を過ぎると劣化のおそれのある格納限界期間を前記外部装置の記憶部に記憶する格納限界期間記憶手順と、
前記給紙部に対する前記記録用紙の補充の時から起算して現在までの期間である格納期間を前記記憶部に記憶する格納期間記憶手順と、
同じ条件の前記記録用紙を格納する前記複数の給紙部に対して、どの前記給紙部を先に選択するかを定めた印刷優先度を前記記憶部に記憶する印刷優先度記憶手順と、
前記記憶部に記憶した前記格納期間と前記格納限界期間とに基づいて、ワーニング表示を前記画像形成装置の表示部へ表示させるワーニング表示手順と、
前記媒体情報記憶部に記憶した前記格納期間の長さに応じて、前記印刷優先度を設定する印刷優先度設定手順と、
前記印刷優先度に基づいて前記画像形成装置の前記給紙部を選択すること給紙部選択手順とをコンピュータに実施させるためのプログラム。
【発明の詳細な説明】
【技術分野】
【０００１】
本発明は、画像データからの画像を記録用紙に形成する画像形成装置に関する。
【背景技術】
【０００２】
従来の画像形成装置は記録用紙を格納したトレイを装置内部に有し、トレイに格納した記録用紙を給紙することにより、記録用紙に画像を形成している。特開２００１−６６８３４号公報（特許文献１）は、記録用紙の含水量に着目し、裏面印刷時と表面印刷時とで含水量を等しくする技術が記載されている。特許文献１によれば、画像形成装置に湿度センサを備え、その測定値が基準値よりも高いときに、記録用紙の印刷を実行せずに定着器を通過させる。これにより、記録用紙の表裏の含水量及び印刷状態を等しくし、印刷品質の劣化を防止する技術が開示されている。
【先行技術文献】
【特許文献】
【０００３】
【特許文献１】特開２００１−６６８３４号公報
【発明の概要】
【発明が解決しようとする課題】
【０００４】
しかしながら、従来技術によれば、トレイに格納された記録用紙の格納期間を使用者は知ることができず、そのため長期にわたり記録用紙がトレイに格納されたままになるおそれがあった。それにより、温度や湿度の変化により、記録用紙が劣化してしまうという問題があった。
【０００５】
本発明が解決しようとする課題は、トレイに格納された記録用紙の格納期間を使用者に報知することができ、そのため、長期にわたり記録用紙がトレイに格納されたままになるおそれをなくした画像形成装置を提供する。同時に温度や湿度の変化により、記録用紙が劣化してしまうという問題の生じない画像形成装置を提供することである。
【課題を解決するための手段】
【０００６】
上記課題を解決するために本発明に関する画像形成装置は、画像データからの画像を記録用紙に形成する画像形成装置において、前記記録用紙を格納する給紙部と、前記給紙部に対し前記記録用紙が補充されたことを検知する検知部と、前記給紙部に前記記録用紙を格納したまま所定の期間を過ぎると劣化のおそれのある格納限界期間と、前記給紙部に対する前記記録用紙の補充の時から起算して現在までの期間である格納期間とを記憶する媒体情報記憶部と、前記媒体情報記憶部に記憶した前記格納期間と前記格納限界期間とに基づいて、ワーニング表示を報知する格納期間監視部を有することを特徴とするものである。
【発明の効果】
【０００７】
上記構成を有する本発明によれば、給紙部に前記記録用紙を格納したまま所定の期間を過ぎると劣化のおそれのある格納限界期間と、給紙部に対する記録用紙の補充の時から起算して現在までの期間である格納期間とを記憶し、この格納期間と格納限界期間とに基づいて、ワーニング表示を報知するようにしたので、トレイに格納された記録用紙の格納期間を使用者に報知することができる。そのため、長期にわたり記録用紙がトレイに格納されたままになるおそれをなくした画像形成装置を提供することができる。同時に温度や湿度の変化により、記録用紙が劣化してしまうという問題の生じない画像形成装置を提供することができる。
【図面の簡単な説明】
【０００８】
【図１】第１の実施の形態に関する画像形成装置としてのプリンタ１０の構成を示すブロック図である。
【図２】第１の実施の形態における媒体情報記憶部１３２に記憶される記録用紙の媒体情報を示す説明図である。
【図３】第１の実施の形態における表示部１６２に表示する操作パネル３０の状態を示す説明図である。
【図４】同じく第１の実施の形態における表示部１６２に表示する操作パネル３０の状態を示す説明図である。
【図５】第1の実施の形態におけるプリンタ１０の動作を表し、日付が変更されたときに実行されるフローチャートである。
【図６】第１の実施の形態において、給紙部１４に記録用紙が補充されたときの動作を表すフローチャートである。
【図７】第２の実施の形態に関する画像形成装置としてのプリンタ１０の構成を示すブロック図である。
【図８】第２の実施の形態における媒体情報記憶部１３２に記憶される記録用紙の媒体情報を示す説明図である。
【図９】第２の実施の形態における表示部１６２に表示する操作パネル３０の状態を示す説明図である。
【図１０】第２の実施の形態におけるプリンタ１０の動作を表し、日付が変更されたときに実行されるフローチャートである。
【図１１】第２の実施の形態における給紙部１４に記録用紙が補充されたときの動作を表すフローチャートである。
【図１２】第２の実施の形態において、送受信部１５が印刷データを受信してから、印刷部１８が画像データを印刷するまでの動作を表すフローチャートである。
【図１３】第２の実施の形態における印刷優先度６０を更新するステップ１１１及び１２３を詳述するフローチャートである。
【図１４】第３の実施の形態に関する画像形成装置としてのプリンタ１１０と外部装置としてのパソコン２１０の構成を示すブロック図である。
【図１５】第４の実施の形態に関する画像形成装置としてのプリンタ１１０と外部装置としてのパソコン２１０の構成を示すブロック図である。
【発明を実施するための形態】
【０００９】
（第１の実施の形態）
本発明に関わる画像形成装置の第１の実施形態について図１から図６を使用して説明する。図１は第１の実施の形態に関する画像形成装置としてのプリンタ１０の構成を示すブロック図である。プリンタ１０は機能の観点から、制御部１１、給紙センサ１２、記憶部１３、給紙部１４、送受信部１５、操作パネル部１６、解析部１７、印刷部１８がバス１９を介して相互に接続される。
【００１０】
制御部１１はプリンタ１０における各部の動作を統括的に管理する。検知部としての給紙センサ１２は図示しないセンサデバイスを使用して、使用者が記録用紙を給紙部１４に補充する補充動作を検知する。記憶部１３はプリンタ１０で印刷する画像データを保存する画像データ記憶部１３１及び記録用紙の情報である媒体情報を保存する後述する媒体情報記憶部１３２から構成される。本実施の形態では後述するように、媒体情報記憶部１３２には、給紙部１４に記録用紙を格納したまま所定の期間を過ぎると劣化のおそれのある格納限界期間２２と、給紙部１４に対する記録用紙の補充の時から起算して現在までの期間である格納期間２５、その他を記憶する。
【００１１】
給紙部１４は記録用紙を格納するトレイであり、記録用紙を印刷部１８へ供給する。本実施の形態では、後述するように第１トレイ及び第２トレイからなる。送受信部１５はプリンタ１０で設定する設定情報及びプリンタ１０が受け取る印刷データを外部と送受信する。
【００１２】
操作パネル１６はオペレーションパネルであり、使用者が操作してプリンタ１０に指示や情報を入力するためのタッチパネルやキーボードに相当する入力部１６１及びディスプレイなどの表示装置に相当する表示部１６２から構成される。本実施の形態では後述するように、給紙部１４に格納された記録用紙の格納期間２５が格納限界期間２２を超えたと判断した場合に、表示部１６２のメッセージ画面３２に、使用者への報知としてのワーニング表示３４を表示する。
【００１３】
解析部１７は送受信部１５で受信した印刷データを解析し、コマンド実行や画像データを生成するデータ解析部１７１及び媒体情報記憶部１３２に記憶された媒体情報を解析し、格納期間２５を監視する後述する格納期間監視部１７２から構成される。印刷部１８はデータ解析部１７１で生成された画像データを印刷する。
【００１４】
図２は、第１の実施の形態における媒体情報記憶部１３２に記憶される記録用紙の媒体情報を示す説明図である。図２（ａ）は基本テーブル１３３であり、現在の年月日である年月日（当日）２０が記憶される。本例では２０１１年４月２６日を例示する。
【００１５】
図２（ｂ）は格納限界リスト１３４であり、記録用紙の種類を示す媒体種別２１及び格納限界期間２２が記憶される。格納限界期間２２は、当該記録用紙が給紙部１４に格納されたまま所定の期間を過ぎると劣化のおそれのある期間を意味し、媒体種別２１毎に予め定められる。本例では、普通紙、再生紙、上質紙の３種類の記録用紙が記憶され、それぞれの記録用紙における格納限界期間２２として、６０日、３０日、１５日が記憶された状態を例示する。格納限界期間２２は固定ではなく、変更可能である。例えば、使用者の操作に基づく入力部１６１の入力により、格納限界期間２２の変更が可能となる。
【００１６】
図２（ｃ）は監視テーブル１３５であり、まずプリンタ１０に搭載される給紙部１４を示すトレイ名称２３が記憶される。監視テーブル１３５には、以下それぞれのトレイ名称２３毎に、使用者が記録用紙を補充した年月日を示す補充日２４、記録用紙が補充された時から起算して現在まで、即ち年月日（当日）２０までの期間である格納期間２５、記録用紙の用紙サイズ２６、媒体種別２１及び格納限界期間２２が記憶される。格納期間２５は毎日更新される。本例では第１トレイ、第２トレイからなる２つの給紙部１４を有するプリンタ１０を表し、それぞれの給紙部１４の補充日２４、格納期間２５、用紙サイズ２６、媒体種別２１、格納限界期間２２が管理された状態を例示する。
【００１７】
第１トレイは補充日２４が２０１１年４月２日であり、年月日（当日）２０との差から格納期間２５は２４日が設定されている。そして、第１トレイにはＡ４の普通紙が格納されており、格納限界期間２２は６０日である。一方、第２トレイは補充日２４が２０１１年４月１４日であり、年月日（当日）２０との差から格納期間２５は１２日である。第２トレイにはＡ３の上質紙が格納されており、格納限界期間２２は１５日である。
【００１８】
図３は、第１の実施の形態における表示部１６２に表示する操作パネル３０の状態を示す説明図である。同図は格納期間監視部１７２で監視した結果を操作パネル３０に表示した状態を示す。操作パネル３０の右画面には媒体情報３１を表示し、それぞれの給紙部１４の記録用紙について、補充日２４から起算して現在までの期間である格納期間２５を棒グラフ４１及び４２で使用者に知らせる。この棒グラフ４１及び４２は、一日毎に延びていく。この棒グラフ４１及び４２の右端は格納限界期間２２としての用紙チェック時点２２−２を示す。左画面には各種メッセージを表示するメッセージ画面３２を表示し、プリンタ１０の状態表示３３や次に説明するワーニング表示３４の表示を行う。格納期間２５の棒グラフ４１及び４２が右端の用紙チェック時点２２−２に達したときに、メッセージ画面３２に後述するワーニング表示３４を出す。
【００１９】
本例では、第１トレイ及び第２トレイからなる２つの給紙部１４を有するプリンタ１０を表し、第１トレイの記録用紙の格納期間２５が２４日経過、第２トレイの格納期間２５が１２日経過を示す。そして、図２（ｃ）と同様に、第１トレイの記録用紙は媒体種別２１が普通紙、格納限界期間２２が６０日とし、第２トレイの記録用紙は媒体種別２１が上質紙、格納限界期間２２が１５日とする。よって、すべての給紙部１４の記録用紙の格納期間２５は、格納限界期間２２としての用紙チェック時点２２−２に達していない状態として、媒体情報３１の棒グラフで表現されている。メッセージ画面３２には、状態表示３３として「印刷できます。」と表示する。
【００２０】
図４は、同じく第１の実施の形態における表示部１６２に表示する操作パネル３０の状態を示す説明図である。同図は格納期間監視部１７２で監視した結果、給紙部１４に格納された記録用紙の格納期間２５が格納限界期間２２に達した状態を示す。操作パネル３０の構成は図３と全く同様であるため、同じ構成要素には同じ符号を付し、その説明は省略する。
【００２１】
本例では、第１トレイ及び第２トレイからなる２つの給紙部１４を有するプリンタ１０を表し、図3に示す状態から例えば３日経過し、第２トレイの記録用紙の格納期間２５のみが格納限界期間２２に達した状態にある。第１トレイの記録用紙は格納限界期間２２が６０日のところ２７日が経過し、第２トレイの記録用紙は格納限界期間２２が１５日のところ１５日が経過したことを示す。即ち、媒体情報３１の第２トレイの棒グラフ４４が右端の用紙チェック時点２２−２に達し、第１トレイの棒グラフ４３は格納限界期間２２としての用紙チェック時点２２−２に達していない。メッセージ画面３２には、使用者への報知であるワーニング表示３４として、第２トレイの記録用紙の格納期間２５が格納限界期間２２に達したこと、即ち「第２トレイにおいて、補充後の格納期間が、長くなっています。」と表示する。そして、第２トレイの記録用紙を確認することを促すメッセージ、即ち、「第２トレイに格納されている用紙を確認してください。」と表示する。
【００２２】
（動作説明）
次に、本実施の形態に関する動作を説明する。プリンタ１０は送受信部１５で印刷データを受信すると、データ解析部１７１が印刷データを解析し、画像データを生成する。給紙部１４から供給された記録用紙に、印刷部１８で画像データを印刷する。
【００２３】
この過程において、格納期間監視部１７２が、給紙部１４に格納された記録用紙の格納期間２５が格納限界期間２２を超えていると判断した場合に、つまり、長期間にわたり格納されたままになっていると判断した場合に、使用者に対し、給紙部１４に格納された記録用紙を確認するよう促すことを表示部１６２を介して報知する。報知の方法は、前述の通りメッセージ画面３２にワーニング表示３４の表示を行うことである。その後、格納期間監視部１７２は、当該給紙部１４に記録用紙が補充されるまでは、メッセージ画面３２にワーニング表示３４を表示し続ける。
【００２４】
図５は、第1の実施の形態におけるプリンタ１０の動作を表し、日付が変更されたときに実行されるフローチャートである。同図は、格納期間監視部１７２が給紙部１４に格納された記録用紙の格納期間２５を監視し、その監視の結果、格納期間２５が格納限界期間２２を超えていると判断した場合の動作を示す。この場合、表示部１６２のメッセージ画面３２にワーニング表示３４を表示させることになる。
【００２５】
Ｓ１０：格納期間監視部１７２は日付の更新とともに、記憶部１３に対し、媒体情報記憶部１３２の基本テーブル１３３に記憶される年月日（当日）２０及び監視テーブル１３５に記憶されている格納期間２５を更新するよう指示する。
Ｓ１１：格納期間監視部１７２は操作パネル部１６に対し、表示部１６２に表示される操作パネル３０の媒体情報３１を更新するよう指示する。
【００２６】
Ｓ１２：格納期間監視部１７２は媒体情報記憶部１３２の監視テーブル１３５を参照し、給紙部１４に格納された記録用紙の格納期間２５が格納限界期間２２を超えたかどうか判断する。
【００２７】
Ｓ１３：給紙部１４に格納された記録用紙の格納期間２５が格納限界期間２２を超えたと判断した場合に、格納期間監視部１７２は、操作パネル部１６に対し、表示部１６２のメッセージ画面３２にワーニング表示３４を表示するよう指示する。即ち、長期間にわたり格納されたままになっていること、及び使用者が給紙部１４に格納された記録用紙を確認するよう促すことを、使用者に表示部１６２を介して報知する。ステップ１２において、記録用紙の格納期間２５が格納限界期間２２を超えていないとの判断の場合は終了する。
【００２８】
図６は第１の実施の形態において、給紙部１４に記録用紙が補充されたときの動作を表すフローチャートである。
Ｓ２０：格納期間監視部１７２は、検知部としての給紙センサ１２が給紙部１４に記録用紙が補充されたことを検知したかどうか監視する。
【００２９】
Ｓ２１：給紙部１４に記録用紙が補充されたことを検知した場合、格納期間監視部１７２は記憶部１３に対し、媒体情報記憶部１３２の監視テーブル１３５における、記録用紙が補充された給紙部１４の補充日２４を基本テーブル１３３の年月日（当日）２０で上書きするよう指示する。
【００３０】
Ｓ２２：格納期間監視部１７２は記憶部１３に対し、媒体情報記憶部１３２の監視テーブル１３５における、記録用紙が補充された給紙部１４の格納期間２５をゼロにリセットするよう指示する。
【００３１】
以上のように第1の実施の形態によれば、給紙部１４に格納された記録用紙の格納期間２５を監視し、長期にわたり記録用紙が給紙部１４に格納されたまま所定の期間を過ぎると記録用紙の劣化のおそれがあると判断された場合に、ワーニング表示３４を使用者に報知するようにしたので、温度や湿度の変化による記録用紙の劣化を防止することができる。
【００３２】
なお、本実施の形態において、表示部１６２のメッセージ画面３２にワーニング表示３４を表示するのは、給紙部１４に格納された記録用紙の格納期間２５が格納限界期間２２を超えたと判断した場合であることを説明したが、これに限らない。即ち、給紙部１４に格納された記録用紙の格納期間２５が格納限界期間２２に近づいて来たことを検知して、ワーニング表示３４を表示するようにしてもよい。
【００３３】
また、前述のように格納限界期間２２は、媒体種別２１毎に給紙部１４に記録用紙を格納したまま所定の期間を過ぎると劣化のおそれがある期間の意味であり、固定ではなく変更可能である。従って、給紙部１４に格納された記録用紙の格納期間２５が格納限界期間２２に近づいて来たことを検知して、ワーニング表示３４を表示するようにしても、又は格納限界期間２２を短縮するように変更しても、同じ結果となる。
【００３４】
更に、第1の実施の形態の説明において、媒体情報記憶部１３２の記憶した年月日（当日）２０、補充日２４及び格納期間２５について、日数で表現される期間を説明したが、これに限らない。即ち、時間で表される期間であっても本発明を適用可能である。この場合、年月日（当日）２０は時分まで記憶し、補充日２４も時分まで検知し記憶することとする。そうすれば格納期間２５も時分まで記憶することができる。
【００３５】
（第２の実施の形態）
本発明に関わる画像形成装置の第２の実施形態について図７から図１２を使用して説明する。図７は第２の実施の形態に関する画像形成装置としてのプリンタ１０の構成を示すブロック図である。本実施の形態は第１の実施の形態において、条件が同一の記録用紙を格納する複数の給紙部１４のうち、いずれか一の給紙部１４を選択する際に、給紙部１４に格納されている記録用紙の格納期間２５が長い方の給紙部１４を優先的に選択するものである。これにより、記録用紙の条件が同一の給紙部１４のなかで、記録用紙が長期にわたり給紙部１４に格納されたままになることを回避するものである。
【００３６】
即ち、第１の実施の形態では、記録用紙の格納期間２５の長短に関係なく、給紙部１４を人為的に決定することが考えられる。これに対し、第２の実施の形態では、給紙部１４を決定する際に、給紙部１４に格納される記録用紙の格納期間２５の長さに応じた印刷優先度を決めておき、その印刷優先度に基づいて給紙部１４を選択する。ここで印刷優先度は、条件が同一の記録用紙、即ち同じサイズ２６及び同じ媒体種別２１の記録用紙を格納する給紙部１４が複数あったとき、どの給紙部１４を先に選択するかを予め定めた順位である。
【００３７】
第２の実施の形態に関する構成において、給紙部１４は記録用紙を格納するトレイであり、記録用紙を印刷部１８へ供給する。給紙部１４は後述するように第１トレイ、第２トレイ、第３トレイ及び第４トレイからなる４つの給紙部１４を有する。解析部１７はデータ解析部１７１、格納期間監視部１７２を有し、更に、給紙部１４を決定する際に給紙部１４に格納された記録用紙の格納期間２５から印刷優先度に基づいて給紙部１４を決定する給紙トレイ判断部５０を有する。給紙トレイ判断部５０はこの外に、給紙部１４に格納された記録用紙の格納期間２５の更新（ステップ１１０）又はゼロリセット（ステップ１２２）があったとき、印刷優先度の更新（ステップ１１１又は１２３）の指示を行う。その他の構成は図１と全く同様であるため、同じ構成要素には同じ符号を付し、その説明は省略する。
【００３８】
図８は、第２の実施の形態における媒体情報記憶部１３２に記憶される記録用紙の媒体情報を示す説明図である。第１の実施の形態では、前述のように媒体情報記憶部１３２に基本テーブル１３３、格納限界リスト１３４、監視テーブル１３５の３種類の情報を記憶している。これに対し第２の実施の形態では、監視テーブル１３５に、給紙部１４に格納された記録用紙の格納期間２５に応じた印刷優先度６０が追加される。印刷優先度６０は、用紙サイズ２６及び媒体種別２１が同一の記録用紙を格納した給紙部１４のなかで付与される。その他の構成は図２と全く同様であるため、同じ構成要素には同じ符号を付し、その説明は省略する。
【００３９】
本例では、プリンタ１０に搭載される給紙部１４は第１トレイ、第２トレイ、第３トレイ、第４トレイからなる４つの給紙部１４を有するプリンタ１０を表す。それぞれの給紙部１４に格納した記録用紙の補充日２４、格納期間２５、用紙サイズ２６、媒体種別２１、格納限界期間２２が管理され、更に、用紙サイズ２６及び媒体種別２１ごとに印刷優先度６０が付与された状態を例示する。第１トレイ、第３トレイ及び第４トレイには、Ａ４の普通紙が格納されており、格納期間２５はそれぞれ２４日、１日及び３７日である。格納期間２５が最も長い３７日の第４トレイの印刷優先度６０は"１"、次に長い２４日の第１トレイの印刷優先度６０は"２"、最も短い１日の第３トレイの印刷優先度６０は"３"である。第２トレイには、Ａ３の上質紙が格納されており、上質紙は第２トレイのみであるため、第２トレイの印刷優先度６０は"１"である。
【００４０】
図９は、第２の実施の形態における表示部１６２に表示する操作パネル３０の状態を示す説明図である。同図は、格納期間監視部１７２で監視した結果に基づく情報を、操作パネル３０に表示する状態を示す。操作パネル３０の右画面の媒体情報３１に、それぞれの給紙部１４の記録用紙の格納期間２５を棒グラフで使用者に知らせる。更に、それぞれの給紙部１４に印刷優先度６０を表現する。
【００４１】
本例では、第１トレイ乃至第４トレイ全てのトレイの記録用紙の格納期間２５は、格納限界期間２２に達していない状態として、媒体情報３１の棒グラフで表現されている。印刷優先度６０について、普通紙が第１トレイ、第３トレイ及び第４トレイのうち、格納期間２５に応じて、第４トレイが"１"、第１トレイが"２"、第３トレイが"３"である。上質紙が格納される第２トレイは、上質紙が格納される給紙部１４が他に存在しないため"１"である。
【００４２】
（動作説明）
次に図１０乃至図１３により、第２の実施の形態におけるプリンタ１０の動作を説明する。データ解析部１７１が印刷データを解析し、画像データを生成する。給紙トレイ判断部５０が決定した給紙部１４から供給された記録用紙に、印刷部１８が画像データを印刷する動作を示す。
【００４３】
図１０は、第２の実施の形態におけるプリンタ１０の動作を表し、日付が変更されたときに実行されるフローチャートである。同図は、格納期間監視部１７２が給紙部１４に格納された記録用紙の格納期間２５を監視し、その監視の結果、格納期間２５が格納限界期間２２を超えていると判断した場合、表示部１６２のメッセージ画面３２にワーニング表示３４を表示させる動作を示す。
【００４４】
第１の実施の形態では、格納期間監視部１７２が日付の更新とともに、年月日（当日）２０及び格納期間２５を更新するステップ１０が実行されるのに対し、第２の実施の形態では、その後に給紙部１４の印刷優先度６０の更新を行うステップ１１１を追加する。
【００４５】
Ｓ１１０：格納期間監視部１７２は、日付の更新とともに、記憶部１３に対し、媒体情報記憶部１３２の基本テーブル１３３に記憶されている年月日（当日）２０及び監視テーブル１３５に記憶されている格納期間２５を更新するよう指示する。
【００４６】
Ｓ１１１：格納期間２５の更新があると、給紙トレイ判断部５０は、記憶部１３に対し、監視テーブル１３５に記憶されている格納期間２５の長さに応じて印刷優先度６０を更新するよう指示する。具体的には、格納期間２５の長い順に給紙部１４の印刷優先度６０を設定する。詳細は図１３において後述する。
【００４７】
Ｓ１１２：格納期間監視部１７２は操作パネル部１６に対し、表示部１６２に表示される操作パネル３０の媒体情報３１を更新するよう指示する。
Ｓ１１３：格納期間監視部１７２は媒体情報記憶部１３２の監視テーブル１３５を参照し、給紙部１４に格納された記録用紙の格納期間２５が格納限界期間２２を超えたかどうか判断する。
【００４８】
Ｓ１１４：給紙部１４に格納された記録用紙の格納期間２５が格納限界期間２２を超えたと判断した場合に、格納期間監視部１７２は操作パネル部１６に対し、表示部１６２のメッセージ画面３２にワーニング表示３４を表示するよう指示する。
【００４９】
図１１は、第２の実施の形態における給紙部１４に記録用紙が補充されたときの動作を表すフローチャートである。第１の実施の形態では、給紙センサ１２が給紙部１４に記録用紙が補充されたことを検知したときに、補充日２４を更新するステップ２１及び記録用紙が補充された給紙部１４の格納期間２５をゼロリセットするステップ２２が実行される。これに対し、第２の実施の形態では、給紙センサ１２が給紙部１４に記録用紙が補充されたことを検知したときに、給紙部１４に格納された記録用紙の格納期間２５に応じた印刷優先度６０の更新を行うステップ１２３を追加する。
【００５０】
Ｓ１２０：格納期間監視部１７２は、給紙センサ１２が給紙部１４に記録用紙が補充されたことを検知したかどうか監視する。
Ｓ１２１：給紙部１４に記録用紙が補充されたことを検知した場合、格納期間監視部１７２は、記憶部１３に対し、媒体情報記憶部１３２の監視テーブル１３５における、記録用紙が補充された給紙部１４の補充日２４を基本テーブル１３３の年月日（当日）２０で上書きするよう指示する。
【００５１】
Ｓ１２２：格納期間監視部１７２は記憶部１３に対し、媒体情報記憶部１３２の監視テーブル１３５における、記録用紙が補充された給紙部１４の格納期間２５をゼロにリセットするよう指示する。
【００５２】
Ｓ１２３：格納期間２５のゼロリセットがあると、給紙トレイ判断部５０は記憶部１３に対し、監視テーブル１３５に記憶されている格納期間２５の長さに応じて印刷優先度６０を更新するよう指示する。具体的には、格納期間２５の長い順に給紙部１４の印刷優先度６０を設定する。詳細は図１３において後述する。
【００５３】
図１２は、第２の実施の形態において、送受信部１５が印刷データを受信してから、印刷部１８が画像データを印刷するまでの動作を表すフローチャートである。この過程において、給紙トレイ判断部５０が給紙部１４に格納された記録用紙の格納期間２５に応じた印刷優先度６０に従い、給紙部１４を決定する。
【００５４】
Ｓ１５０：送受信部１５が印刷データを受信する。
Ｓ１５１：データ解析部１７１は印刷データを解析し、画像データを生成する。
Ｓ１５２：データ解析部１７１は、記憶部１３に対し、記録用紙の条件が同一の記録用紙を格納する給紙部１４があるかどうか、監視テーブル１３５の用紙サイズ２６及び媒体種別２１を検索するよう指示する。例えば記録用紙の条件がA4の普通紙である場合、第1トレイ、第3トレイ及び第4トレイがこれに該当する。
【００５５】
Ｓ１５３：記録用紙の条件が同一の給紙部１４がないと判断された場合に、制御部１１は操作パネル部１６に対し、表示部１６２に記録用紙を使用者へ要求する表示を行うよう指示する。
【００５６】
Ｓ１５４：記録用紙の条件が同一の給紙部１４があると判断された場合に、給紙トレイ判断部５０がその給紙部１４の印刷優先度が"１"かどうか判断する。例えばまず第1トレイが優先度“1”かどうか判断する。第1トレイの優先度は“２”である。
【００５７】
Ｓ１５５：給紙部１４の印刷優先度"１"以外の場合に、データ解析部１７１が更に記録用紙の条件が同一の給紙部１４を検索する。即ち、データ解析部１７１は記憶部１３に対し、記録用紙の条件が同一の給紙部１４があるかどうか、監視テーブル１３５の用紙サイズ２６及び媒体種別２１を再度検索するよう指示する。例えば次に第３トレイが検索される。
【００５８】
Ｓ１５６：給紙部１４の印刷優先度が"１"の場合に、給紙トレイ判断部５０がその給紙部１４を給紙トレイとして決定する。例えば、ここで優先度が“１”の第4トレイが決定される。
Ｓ１５７：制御部１１は給紙部１４に対し、決定された給紙トレイから記録用紙を給紙するよう指示する。そして  制御部１１は、印刷部１８に対し、画像データを印刷するよう指示する。
【００５９】
図１３は、第２の実施の形態における印刷優先度６０を更新するステップ１１１及び１２３を詳述するフローチャートである。前述の通りステップ１１０において、格納期間監視部１７２は日付の更新とともに、記憶部１３に対し、媒体情報記憶部１３２の基本テーブル１３３に記憶されている年月日（当日）２０及び監視テーブル１３５に記憶されている格納期間２５を更新するよう指示する。また、Ｓ１２２においては、格納期間監視部１７２は記憶部１３に対し、媒体情報記憶部１３２の監視テーブル１３５における、記録用紙が補充された給紙部１４の格納期間２５をゼロにリセットするよう指示する。
【００６０】
Ｓ１６０：給紙トレイ判断部５０は記憶部１３に対し、媒体情報記憶部１３２の格納限界リスト１３４から媒体種別２１のうち、まず１個（例えば普通紙）を取得し、検索媒体に設定するよう指示する。
【００６１】
Ｓ１６１：給紙トレイ判断部５０は記憶部１３に対し、媒体情報記憶部１３２の監視テーブル１３５から検索媒体（普通紙）が格納される給紙部１４を全て抽出し（第1トレイ、第3トレイ、第4トレイ）、図示しない記憶部に記録するよう指示する。
【００６２】
Ｓ１６２：給紙トレイ判断部５０は記憶部１３に対し、記録された全ての給紙部１４（第1トレイ、第3トレイ、第4トレイ）について、媒体情報記憶部１３２の監視テーブル１３５から格納期間２５を取得する。
【００６３】
Ｓ１６３：給紙トレイ判断部５０は、最も長い格納期間２５の給紙部１４（第４トレイ）の印刷優先度６０を“１”に設定し、次に長い格納期間２５の給紙部１４（第1トレイ）の印刷優先度６０には１加算し“２”に設定する。最も短い格納期間２５の給紙部１４（第3トレイ）まで印刷優先度６０を設定する。
Ｓ１６４：給紙トレイ判断部５０は、格納限界リスト１３４の全ての媒体種別２１（再生紙及び上質紙）をチェックしたかどうか判断する。
【００６４】
以上のように、第２の実施の形態によれば、給紙部１４に格納された記録用紙の格納期間２５を監視し、格納期間２５に応じて、給紙部１４に印刷優先度６０を設定する。記録用紙の給紙トレイを決定する際に、給紙部１４に格納される記録用紙の格納期間２５が長い給紙部１４を優先的に選択するようにしたので、記録用紙の条件が同一の給紙部１４のなかで、記録用紙が長期にわたり給紙部１４に格納されたままになることを回避することができる。
【００６５】
本発明は、画像形成装置がプリンタである場合について説明したが、本発明はプリンタである場合に限定されず、スキャナなどの読取装置を備える複合機、ファクシミリ装置、複写機に適用可能である。また、印刷方式はインクジェット式、電子写真式、熱転写式等いかなる種類の方式であってもよい。
【００６６】
本発明は記録用紙の種類に応じて一定の格納限界とする場合について説明したが、画像形成装置の設置環境である温度、湿度に応じて格納限界が変動する場合でも適用可能である。本発明の第２の実施の形態は給紙部１４に設定された格納期間２５に基づいて、給紙部１４の印刷優先度を設定する場合について説明したが、給紙部１４に設定される印刷位置や色処理を設定する場合でもよい。
【００６７】
（第３の実施の形態）
本発明に関わる第３の実施の形態について説明する。第３の実施の形態は画像形成装置１１０に接続された外部装置としてのパソコンに関する。図１４は、第３の実施の形態に関する画像形成装置としてのプリンタ１１０と外部装置としてのパソコン２１０の構成を示すブロック図である。同図において、パソコン２１０は本実施の形態に関する要素のみを記載し、その他の機能については説明を省略する。また、プリンタ１１０の機能については、第１の実施の形態で説明した要素と同じ要素は同じ符号にて示し、説明を省略する。
【００６８】
パソコン２１０における送受信部２１５は、プリンタ１１０に対する印刷データを送信し、プリンタ１１０で設定する設定情報を受信する。本実施の形態に関して、送受信部２１５は、記録用紙を格納するプリンタ１１０の給紙部１４に対し記録用紙が補充されたことを検知する検知部としての給紙センサ１２からの信号を受信する。記憶部２１３は媒体情報記憶部２３２を有する。
【００６９】
媒体情報記憶部２３２の記憶内容は、前記第１の実施の形態で説明した図２で示したものと同じであるので簡略して説明する。即ち、媒体情報記憶部２３２は、プリンタ１１０の給紙部１４に記録用紙を格納したまま所定の期間を過ぎると劣化のおそれのある格納限界期間２２と、給紙部１４に対する記録用紙の補充の時から起算して現在までの期間である格納期間２５及びその他を記憶する。
【００７０】
パソコン２１０における解析部２１７は、格納期間監視部２７２から構成される。格納期間監視部２７２は媒体情報記憶部２３２に記憶された媒体情報を解析し、格納期間２５を監視する。監視の結果、格納期間２５が格納限界期間２２を超えたときに、プリンタ１１０の表示部１６２に対し、第１の実施の形態で述べたワーニング表示３４を報知するよう指示する。制御部２１１はパソコン２１０における各部の動作を統括的に管理する。
【００７１】
第３の実施の形態の動作については、第１の実施の形態とほぼ同じであるので図５及び図6を流用する。ただし、図５については、第３の実施の形態におけるパソコン２１０の動作を表し、日付が変更されたときに実行されるフローチャートとする。そして、同図はパソコン２１０の格納期間監視部２７２が、プリンタ１１０の給紙部１４に格納された記録用紙の格納期間２５を監視し、その監視の結果、格納期間が２５が格納限界期間２２を超えていると判断した場合の動作を示す。この場合、プリンタ１１０の表示部１６２のメッセージ画面３２にワーニング表示３４を表示させることになる。図５及び図６の説明において、格納期間監視部１７２はパソコン２１０の格納期間監視部２７２と、記憶部１３はパソコン２１０の記憶部２１３と、媒体情報記憶部１３２はパソコン２１０の媒体情報記憶部２３２と読み換えるものとする。
【００７２】
第３の実施の形態によれば、プリンタ１１０と接続されたパソコン２１０から、プリンタ１１０の給紙部１４の用紙が長期にわたり格納されたままになっている状態を監視することができる。
【００７３】
（第４の実施の形態）
本発明に関わる第４の実施の形態について説明する。第４の実施の形態は、第３の実施の形態と同様に、画像形成装置１１０に接続された外部装置としてのパソコンに関する。図１５は、第4の実施の形態に関する画像形成装置としてのプリンタ１１０と外部装置としてのパソコン２１０の構成を示すブロック図である。同図において、パソコン２１０は本実施の形態に関する要素のみを記載し、その他の機能については説明を省略する。また、プリンタ１１０の機能については、第２の実施の形態で説明した要素と同じ要素は同じ符号にて示し、説明を省略する。本実施の形態は第２の実施の形態と同様に、条件が同一の記録用紙を格納する複数の給紙部１４のうち、いずれか一の給紙部１４を選択する際に、給紙部１４に格納されている記録用紙の格納期間２５が長い方の給紙部１４を優先的に選択するものである。
【００７４】
パソコン２１０における送受信部２１５は、プリンタ１１０に対する印刷データを送信し、プリンタ１１０で設定する設定情報を受信する。本実施の形態に関して、送受信部２１５は、記録用紙を格納するプリンタ１１０の給紙部１４に対し記録用紙が補充されたことを検知する検知部としての給紙センサ１２からの信号を受信する。記憶部２１３は媒体情報記憶部２３２を有する。
【００７５】
媒体情報記憶部２３２の記憶内容は、前記第２の実施の形態で説明した図８で示したものと同じであるので簡略して説明する。即ち、媒体情報記憶部２３２は、プリンタ１１０の給紙部１４に記録用紙を格納したまま所定の期間を過ぎると劣化のおそれのある格納限界期間２２と、給紙部１４に対する記録用紙の補充の時から起算して現在までの期間である格納期間２５と、用紙サイズ２６及び媒体種別２１が同一の給紙部１４のなかで付与される印刷優先度６０並びにその他を記憶する。
【００７６】
パソコン２１０の解析部２１７は、格納期間監視部２７２及び給紙トレイ判断部２５０から構成される。格納期間監視部２７２は、媒体情報記憶部２３２に記憶された媒体情報を解析し、格納期間２５を監視する。監視の結果、格納期間２５が格納限界期間２２を超えたときに、プリンタ１１０の表示部１６２に対し、第２の実施の形態で述べたワーニング表示３４を報知するよう指示する。
【００７７】
パソコン２１０の給紙トレイ判断部２５０は、プリンタ１１０の複数の給紙部１４のうち、いずれか一の給紙部１４を決定する際に、給紙部１４に格納された記録用紙の格納期間２５から印刷優先度に基づいて給紙部１４を決定する。給紙トレイ判断部２５０はこの外に、給紙部１４に格納された記録用紙の格納期間２５の更新又はゼロリセットがあったとき、印刷優先度の更新の指示を行う。パソコン２１０の制御部２１１は、パソコン２１０における各部の動作を統括的に管理する。
【００７８】
第４の実施の形態の動作については、第２の実施の形態とほぼ同じであるので図１０乃至図１３を流用する。ただし、図１０については、第４の実施の形態におけるパソコン２１０の動作を表し、日付が変更されたときに実行されるフローチャートとする。そして、同図はパソコン２１０の格納期間監視部２７２が、プリンタ１１０の給紙部１４に格納された記録用紙の格納期間２５を監視し、その監視の結果、格納期間２５が格納限界期間２２を超えていると判断した場合の動作を示す。この場合、プリンタ１１０の表示部１６２のメッセージ画面３２にワーニング表示３４を表示させることになる。図１０乃至図１３の説明において、格納期間監視部１７２はパソコン２１０の格納期間監視部２７２と、記憶部１３はパソコン２１０の記憶部２１３と、媒体情報記憶部１３２はパソコン２１０の媒体情報記憶部２３２と、給紙トレイ判断部５０はパソコン２１０の給紙トレイ判断部２５０と読み換えるものとする。
【００７９】
第４の実施の形態によれば、プリンタ１１０と接続されたパソコン２１０から、プリンタ１１０の給紙部１４の用紙が長期にわたり格納されたままになっている状態を監視することができる。
【符号の説明】
【００８０】
１０      プリンタ
１１      制御部
１２      給紙センサ
１３      記憶部
１４      給紙部（トレイ）
１５      送受信部
１６      操作パネル部
１７      解析部
１８      印刷部
２１      媒体種別
２２      格納限界期間
２４      補充日
２５      格納期間
２６      用紙サイズ
３０      操作パネル
３４      ワーニング表示
５０      給紙トレイ判断部
６０      印刷優先度
１３２    媒体情報記憶部
１７２    格納期間監視部
【図１】
2014069362.tif 000003
【図２】
2014069362.tif 000004
【図３】
2014069362.tif 000005
【図４】
2014069362.tif 000006
【図５】
2014069362.tif 000007
【図６】
2014069362.tif 000008
【図７】
2014069362.tif 000009
【図８】
2014069362.tif 000010
【図９】
2014069362.tif 000011
【図１０】
2014069362.tif 000012
【図１１】
2014069362.tif 000013
【図１２】
2014069362.tif 000014
【図１３】
2014069362.tif 000015
【図１４】
2014069362.tif 000016
【図１５】
2014069362.tif 000017